(57)【要約】【課題】サッシ下枠の上面をフラットに形成したバリアフリータイプの気密・水密性が高く、雨水等の排水性にも優れ、内外障子の召し合わせ部の室内漏水に対する防水性が高い、屋外用下枠フラットの引違いサッシの提供。【解決手段】上面が略フラット面の下枠１０と、下枠上面１１をスライド開閉する内障子６０及び外障子５０と、召合框止水ブロック７０とを備え、下枠上面１１は内障子６０と外障子５０との召し合わせ位置に排水口１５を有し、召合框止水ブロック７０は、内障子召合框６３の室外側面又は外障子召合框５３の室内側面に取り付けてあり且つ弾性材製の下枠上面当接部７１を有し、下枠上面当接部７１が下枠上面１１の排水口１５よりも外障子５０の開き側で下枠上面１１に当接している。【選択図】図１
2010101164.tif 000002
【特許請求の範囲】
【請求項１】
上面が略フラット面の下枠と、下枠上面をスライド開閉する内障子及び外障子と、召合框止水ブロックとを備え、下枠上面は内障子と外障子との召し合わせ位置に排水口を有し、召合框止水ブロックは、内障子召合框の室外側面又は外障子召合框の室内側面に取り付けてあり且つ下枠上面に当接する弾性材製の下枠上面当接部を有し、下枠上面当接部が排水口よりも外障子の開き側で下枠上面に当接していることを特徴とする引違いサッシ。
【発明の詳細な説明】
【技術分野】
【０００１】
本発明は建築物の屋外開口部に取り付けた窓枠内を障子がスライド開閉する引違いサッシに関し、特に、下枠上面が略フラット面に形成したバリアフリーサッシにおける風圧を伴った雨水等に対する高水密な引違いサッシに関する。
【背景技術】
【０００２】
建築物の屋外開口部には一般に上下枠と左右の縦枠にて枠体を構成し、その内側を障子がスライド開閉する引違いサッシが設けられている。
この場合に、従来は下枠サッシに突条状のレールが突設されていてこのレール上を障子の下框に取り付けられた戸車が回転移動する構造が一般的である。
また、建築物屋外開口部の室外側外障子用突条レールと室内側内障子用突条レールに室内側が高くなるように段差を設けたり、レール溝に室外側と室内側に段差を設けたりして風雨の侵入の防止を図っている。
さらに詳述すると、窓ガラス等に吹き付けられた雨水は障子に沿って落下し、下枠のレール溝に溜まり、特に外障子と内障子の召し合わせ部や、障子の戸当框と縦枠サッシとのコーナ部に滞留しやすいが、レール溝の壁が室内側への侵入を防止し、溜まった雨水の自重にて屋外へ流れ出るようになっている。
【発明の概要】
【発明が解決しようとする課題】
【０００３】
しかし、下枠サッシの上面をフラットに形成したバリアフリータイプのサッシ構造にすると上記レール溝の壁が無く、風圧等を伴った大きな雨の際に障子に沿って落下してくる大量の雨水は下枠サッシの上面に溜まりやすく気密性を確実にしないと空気の流れに沿って雨水が浸入し水密性も問題になる技術課題があった。
特に、引違い障子の召し合わせ下部の室外側に溜まる水量が従来より更に多くなり、また、召し合わせ部は内外障子間の気密、水密構造が複雑になるために、室内への漏水が生じ易く、屋外用サッシにおいては風圧を伴うので雨水がより侵入しやすくなるので気密性とともに排水性を良くする必要があった。
また、中、高層ビルになると５００Ｐａ近くの風圧を受け、雨水の室内への侵入を防止するためには障子と窓枠サッシの間に気密ラインを確保するとともに、気密ラインを形成する下枠上面からの高排水性を確保するために排水凹部を設ける必要があり、この場合に内障子下枠凹部に沿って流れてくる雨水を外障子室内側に侵入しないようにする必要もあった。
【０００４】
本発明は、建築物屋外開口部に取り付けた上下枠及び左右の縦枠にて構成されるサッシの下枠面上をスライド開閉する引違いサッシにおいて、サッシ下枠の上面をフラットに形成したバリアフリータイプの気密・水密性が高く、雨水等の排水性にも優れ、内外障子の召し合わせ部の室内漏水に対する防水性が高い、屋外用下枠フラットの引違いサッシの提供にある。
【課題を解決するための手段】
【０００５】
屋外用サッシにおける水密性とは雨を伴った風に対し、どれだけの風圧まで雨水の浸入を防げるかを表す性能をいい、ＪＩＳにその試験方法として試験装置にサッシを取り付け、１分間当たり４リットル／１平方メートルの水を噴霧し、所定の脈動圧を１０分間加え、その間サッシから室内側への漏水が無いことが合格条件となっていて、試験区分５０では風圧中央値が５００Ｐａ、上限風圧が７５０Ｐａと非常に厳しいものとなっていて、例えば、浴室の水密性における浴室戸にシャワーノズルで１分間当たり１０リットルの水を距離３０ｃｍ、７ｃｍ／秒の速さで全周に噴霧するだけの試験条件とは大きく異なり、屋外用サッシの下枠フラット化は従来から非常に困難とされていた。
そこで、今回水密試験を繰り返しながら、誠意研究することで本発明に至ったものである。
【０００６】
請求項１記載の発明は、上面が略フラット面の下枠と、下枠上面をスライド開閉する内障子及び外障子と、召合框止水ブロックとを備え、下枠上面は内障子と外障子との召し合わせ位置に排水口を有し、召合框止水ブロックは、内障子召合框の室外側面又は外障子召合框の室内側面に取り付けてあり且つ弾性材製の下枠上面当接部を有し、下枠上面当接部が下枠上面の排水口よりも外障子の開き側で下枠上面に当接していることを特徴とする。
【発明の効果】
【０００７】
本発明によれば、下枠フラット面（上面）を内外障子の召合框間に向けて風圧とともに勢い良く流れてきた雨水は、召合框止水ブロックに設けられた弾性材製の下枠上面当接部（ウオーターバリア）にて流れの勢いを抑え、フラット面排水口への雨水の落下、排水を促進できる。
【図面の簡単な説明】
【０００８】
【図１】本実施の形態にかかる引違いサッシの図であり、（ａ）は図２に示す下枠及び下框部分を拡大して示すと共に戸車５４、６４を省略して示す縦断面図であり、（ｂ）は図３に示す召合框部分を拡大して示す横断面図である。
【図２】本実施の形態にかかる引違いサッシの図であり、図３に示すＡーＡ断面図である。
【図３】本実施の形態にかかる引違いサッシの横断面図である。
【図４】下枠の長手方向中央部を抜き出して示す斜視頭である。
【図５】内障子召し合わせ框の下側部分を室外側から見た斜視図である。
【図６】引違いサッシの下枠とそのコーナ部分を示す斜視図であり、（イ）は左コーナ部、（ロ）は障子召し合せ部、（ハ）は右コーナ部の図である。
【発明を実施するための形態】
【０００９】
本発明の望ましい実施の形態を図面を参照して以下説明する。
ビル住宅の窓の屋外には排水用のグレーチングを取り付け、その外側に段差調整ブロックを敷いてバルコニーが配設され、さらに外側には手摺り等の安全柵が取り付けられている。室内からバルコニーへの出入り口に本発明に係る高水密構造からなる引違いサッシ１が採用されている。
【００１０】
図２及び図３に示すように、本発明に係る引違いサッシ１は、下枠１０及び上枠４０と、左縦枠２０及び右縦枠３０のサッシにて枠体を形成し、その内側に屋外側から、外障子５０、内障子６０が装着されている。
図２に示すように、下枠１０には従来のような突条のレールが無く、下枠上面１１がフラット面になっていて、マンション等のベランダと室内側との境界に段差が無くなり、室内フローリング床面、下枠の上面、グレーチングを介してバルコニーの床面がほぼ水平に配置されたバリアフリー構造になっている。
【００１１】
外障子５０は外障子下框５１及び上框５５と、外障子戸当框５２及び外障子召合框５３にて枠を形成し、内側にガラス等が装着されている。
外障子下框５１の室内側には外障子スライド片５１ａ（図１（ａ）参照）が垂下され、下框５１の下框凹部５１ｂには外障子戸車５４が取り付けられ、下枠１０の略フラットな外障子スライド用上面部材１０７を移動する。
【００１２】
内障子６０も外障子５０と同様に、内障子下框６１及び上框６５と、内障子戸当框６２及び内障子召合框６３にて枠を形成し、内側にガラス等が装着されている。
図１（ａ）に示すように、障子下框６１の屋外側には内障子スライド片６１ａが垂下され、側壁に内障子用横タイト材嵌合溝１３ｂを設け、内障子用横タイト材１４ｂを配設し、この横タイト材１４ｂは下枠凹部１２ａの側壁３に摺接している。
下框６１の下框凹部６１ｂには内障子戸車６４が取り付けられ下枠１０の略フラットな上面１１を移動する。
【００１３】
図１（ａ）に示すように、下枠１０には中空断面形状からなる下枠ベース部材１００の上部に複数の立ち上がり片１０１〜１０５を設け、立ち上がり片１０３、１０４と外障子スライド用上面部材１０７にて外障子用下枠凹部１２ａ及び外障子スライド片５１ａがスライドする外障子スライド溝１１ａを形成し、立ち上がり片１０２、１０３、と内障子スライド用上面部材１０６にて内障子用下枠凹部１２ｂ及び内障子スライド片６１ａがスライドする内障子スライド溝１１ｂを形成してある。
【００１４】
図３に示すように、左縦枠２０の枠内側には外障子５０の戸当框５２を受ける左縦枠係合部２１が設けられ、この左縦枠係合部２１に左縦枠縦タイト材２３が配設されている。
右縦枠３０の内側に、内障子６０の戸当框６２を受ける右縦枠係合部３１が設けられ、内障子戸当框６２に設けた右縦枠縦タイト材３３が内障子６０が閉じた際に当接する。
外障子５０、内障子６０においてそれぞれ横タイト材１３ｂ、１４ｂ（図２参照）のシール面と縦タイト材２３、３３（図３参照）のシール面がほぼ同一になるように配設されている。
【００１５】
召合わせ部においては図１（ｂ）に示すように、外障子５０の外障子召合框５３及び内障子６０の内障子召合框６３に設けた外障子突き合わせ片５３ａと内障子突き合わせ片６３ａが障子閉鎖時に当接し、内障子召合わせ框６３に設けた召合框タイト材嵌合溝４に召合框タイト材６７が取り付けられ外障子召合框５３の室内側面に当接している。
なお、この召合框タイト材６７は気密性、水密性が確保されれば良く、外障子側に設けても良い。
【００１６】
また、図６に示すように、下枠１０にはフラット面排水口（排水口）１５、外障子用下枠凹部排水口１７ａ、内障子用下枠凹部排水口１７ｂ及び下枠屋外排水口１８が設けられている。
ここで、下枠上面１１に設けたフラット面排水口１５は外障子５０と内障子６０の召し合わせ位置に設けてある。
なお、下枠屋外排水口１８の外側には排水口１８を覆うように逆風、逆水止め部材１９が上部で枢着されている。
また、必要に応じて、下枠上面１１のコーナ部を切り欠いて、左コーナ部排水口、右コーナ部排水口を設けても良い。
【００１７】
フラット面排水口１５に対応する内障子召合框６３の室外側面には、図１に示すように、召合框止水ブロック７０がビス等の召合框止水ブロック係止部材７３にて取り付けられている。
図１及び図５に示すように、召合框止水ブロック７０には、弾性材からなるヒレ状のウオーターバリア（下枠上面当接部）７１とヒレ状のウインドバリア７２が設けられていて、下枠上面１１及び外障子召し合わせ框５３の室内側面に当接するように配設されている。
ウオーターバリア７１は、図１（ｂ）に示すように、フラット面排水口１５よりも外障子５０の開き側で、図１（ａ）に示すように、下枠上面１１に当接している。
外障子５０と内障子６０との召し合わせ部では、ウオーターバリア７１にて風圧を伴う雨水の流れが抑えられ、ウインドバリア７２にて気密性が確保されているので空気の室内への侵入が遮断され、その間に設けられたフラット面排水口１５に雨水が流し込まれる。
ここで、下枠のフラット面排水口１５は外障子用下枠凹部排水口１７ａ及び下枠屋外排水口１８を介して外気と連通している。
また、フラット面排水口の上部は、図１（ｂ）に示すように外障子召合框５３及び内障子召合框６３とこれらに設けた外障子突き合わせ片５３ａ、内障子突き合わせ片６３ａ（煙返し部）、召合框タイト材６７で形成する空間部に連通している。
【００１８】
本実施の形態における引違いサッシによれば、下枠フラット面１１を内障子の召合框６３と外障子の召合框５３との間に向けて風圧とともに勢い良く流れてきた雨水は、召合框止水ブロック７０に設けられた弾性材製の下枠上面当接部（ウオーターバリア）７１にて流れの勢いを抑え、フラット面排水口１５への雨水の落下、排水を促進できる。
また、外障子５０と内障子６０との召し合わせ部では、ウオーターバリア７１にて風圧を伴う雨水の流れが抑えられ、ウインドバリア７２にて気密性が確保されているので、フラット面を流れる空気の室内への侵入を遮断でき、その間に設けられたフラット面排水口１５に雨水を流し込むことができる。
【符号の説明】
【００１９】
１      引違いサッシ
１０   下枠
１１   フラット面（上面）
１５   フラット面排水口（排水口）
５０   外障子 
５３   外障子召合框 
６０   内障子
６３   内障子召合框
６７   召合框タイト材
７０   召合框止水ブロック
７１   ウオーターバリア（下枠上面当接部）
７２   ウインドバリア
７３   召合框止水ブロック係止部材
【図１】
2010101164.tif 000003
【図２】
2010101164.tif 000004
【図３】
2010101164.tif 000005
【図４】
2010101164.tif 000006
【図５】
2010101164.tif 000007
【図６】
2010101164.tif 000008